(57)【特許請求の範囲】
【請求項１】
Ｘ線撮像素子若しくはＸ線フィルムを有する受光部と、
保定部と、回転軸と、案内部とを有する撮影補助具と、
グリップを備え、
前記受光部は、前記回転軸を中心に回転可能で、前記保定部とのなす第１角度が変更可能な状態で前記回転軸に取り付けられ、
前記回転軸における前記受光部が取り付けられる接続部は、Ｘ線源を含むＸ線装置を使った撮影時に、前記保定部の口腔内に挿入される部分に設けられ、
前記接続部に取り付けられた受光部のＸ線撮像素子若しくはＸ線フィルムの受光面が、前記保定部に近づくような付勢力が与えられるように、付勢部材が設けられ、
前記グリップは、前記回転軸を中心に回転可能で、前記保定部とのなす第２角度が変更可能な状態で、前記撮影補助具に取り付けられるものであり、
前記案内部は、前記撮影時に前記Ｘ線装置の照射口の位置決めに使用されるものであり、
前記保定部は、上から見てＬ字形状を有する部材であり、
前記Ｌ字形状は、Ｌ字を構成する２辺のうちの一方であって前記回転軸を介して前記受光部が取り付けられる第１部材と、前記Ｌ字を構成する２辺のうちの他方であって前記案内部が取り付けられる第２部材とを有し、
前記グリップの軸受けは、前記第１部材であって、前記第２部材と前記第１部材の接続部分と、前記受光部の間に、取り付けられることを特徴とする歯科用口腔内Ｘ線撮影装置。
【請求項２】
前記回転軸を中心とした前記グリップの回転可能な状態を制御する第１ロック機構を有することを特徴とする請求項１に記載の歯科用口腔内Ｘ線撮影装置。
【請求項３】
前記回転軸を中心とした前記受光部の回転可能な状態を制御する第２ロック機構を有することを特徴とする請求項２に記載の歯科用口腔内Ｘ線撮影装置。
【請求項４】
前記グリップは、棒状部材で構成され、前記グリップと前記保定部との位置関係は、前記回転軸を中心にした回転動作だけで決定することを特徴とする請求項１に記載の歯科用口腔内Ｘ線撮影装置。
【請求項５】
前記保定部は、前記第１角度に関する情報を表示する角度表示部を有し、
前記角度表示部は、前記受光部が口腔内に挿入された時に、前記角度に関する情報が口腔外に見える位置に設けられ、
前記案内部は、前記受光部の撮像面から一定の距離だけ離れた位置に前記Ｘ線源が配置されるように前記Ｘ線装置の前記位置決めをするために使用される案内リングと、前記案内リングに設けられ、前記角度に関する情報に対応した前記Ｘ線装置のＸ線照射口の位置決め用目印を二以上含む位置決め部とを有することを特徴とする請求項１に記載の歯科用口腔内Ｘ線撮影装置。
【発明の詳細な説明】
【技術分野】
【０００１】
本発明は、歯科用口腔内Ｘ線撮影装置に関する。
【背景技術】
【０００２】
特許文献１のように、Ｘ線装置を使った歯牙の撮影において使用される撮影補助具（インジケータ）が提案されている。
【先行技術文献】
【特許文献】
【０００３】
【特許文献１】特開２０１２−０９５８８７号公報
【発明の概要】
【発明が解決しようとする課題】
【０００４】
しかし、回転軸が幾つも必要であり、構造が複雑になる。
【０００５】
したがって本発明の目的は、回転運動に関する機構を簡素化した歯科用口腔内Ｘ線撮影装置を提供することである。
【課題を解決するための手段】
【０００６】
本発明に係る歯科用口腔内Ｘ線撮影装置は、Ｘ線撮像素子若しくはＸ線フィルムを有する受光部と、保定部と回転軸とを有する撮影補助具と、グリップを備え、受光部は、回転軸を中心に回転可能で、保定部とのなす第１角度が変更可能な状態で回転軸に取り付けられ、回転軸における受光部が取り付けられる接続部は、Ｘ線源を含むＸ線装置を使った撮影時に、保定部の口腔内に挿入される部分に設けられ、接続部に取り付けられた受光部のＸ線撮像素子の受光面が、保定部に近づくような付勢力が与えられるように、付勢部材が設けられ、グリップは、回転軸を中心に回転可能で、保定部とのなす第２角度が変更可能な状態で、撮影補助具に取り付けられる。
【０００７】
グリップと保定部とのなす角（第２角度θ２）を変化させることにより、グリップを保持する者（被験者や術者）にとって都合が良い位置関係（グリップの保持位置）で、受光部を口腔内の適当な位置に挿入することが可能になる。
【０００８】
また、グリップを移動させることにより、口腔内における回転軸の位置が変化し、これに伴って、受光部や保定部が口腔内における口蓋など口腔内の部位と接触する位置が変化し、受光部の撮像面と保定部とのなす角（第１角度θ１）も変化する。第１角度θ１に関する情報は、後述するように口腔外に設けられた角度表示部に示される。
【０００９】
従って、グリップを持った状態で、受光部の撮像面の法線の方向を自在に変化させることが可能になる。すなわち、使用者（術者若しくは被験者）がグリップを把持することにより、第１角度θ１が調整可能な状態で、受光部が保持される。
【００１０】
保定部に対して、受光部やグリップが回転可能な状態にされるが、その回転軸を共用することにより、回転運動に関する機構を簡素化することが可能になる。簡素化することにより、使い慣れていない被験者でも、壊さずに、簡単にグリップを正しく保持することが可能になる。
【００１１】
好ましくは、回転軸を中心としたグリップの回転可能な状態を制御する第１ロック機構を有する。
【００１２】
例えば、側面から見て、受光部が保定部よりも上側に、グリップが保定部よりも下側になるような位置関係で、グリップが固定されると、上歯の近くに受光部を位置させやすいし、受光部とグリップが保定部よりも上側になるような位置関係でグリップを固定させ、歯科用口腔内Ｘ線撮影装置を上下逆にすると、下歯の近くに受光部を位置させやすい。
【００１３】
さらに好ましくは、回転軸を中心とした受光部の回転可能な状態を制御する第２ロック機構を有する。
【００１４】
第２ロック機構により、受光部と保定部の位置関係の調整を簡単に行える。
【００１５】
また、好ましくは、グリップは、棒状部材で構成され、グリップと保定部との位置関係は、回転軸を中心にした回転動作だけで決定する。
【００１６】
また、好ましくは、保定部は、第１角度に関する情報を表示する角度表示部を有し、角度表示部は、受光部が口腔内に挿入された時に、角度に関する情報が口腔外に見える位置に設けられ、撮影補助具は、受光部の撮像面から一定の距離だけ離れた位置にＸ線源が配置されるようにＸ線装置を位置決めするために使用される案内リングと、案内リングに設けられ、角度に関する情報に対応したＸ線装置のＸ線照射口の位置決め用目印を二以上含む位置決め部とを有する。
【発明の効果】
【００１７】
以上のように本発明によれば、回転運動に関する機構を簡素化した歯科用口腔内Ｘ線撮影装置を提供することができる。
【図面の簡単な説明】
【００１８】
【図１】本実施形態における歯科用口腔内Ｘ線撮影装置の斜視図である。
【図２】グリップが保定部よりも下に、受光部が保定部よりも上に位置した状態で、使用者に把持された歯科用口腔内Ｘ線撮影装置の斜視図である。
【図３】グリップと受光部が保定部よりも下に位置した状態で、使用者に把持された歯科用口腔内Ｘ線撮影装置の斜視図である。
【図４】撮影部、撮影補助具、及びＸ線装置の構成を示す側面図である。
【図５】撮影部、撮影補助具、及びＸ線装置の構成を示す上面図である。
【図６】案内リングが略Ｕ字形状を有する場合の歯科用口腔内Ｘ線撮影装置の斜視図である。
【図７】受光部の回転動作のロック状態を解除する第２ロック機構（の操作ボタン）をグリップも設けた場合の歯科用口腔内Ｘ線撮影装置の斜視図である。
【発明を実施するための形態】
【００１９】
以下、本実施形態における歯科用口腔内Ｘ線撮影装置の構成について、図を用いて説明する。本実施形態に係る歯科用口腔内Ｘ線撮影装置１は、撮影部１０、グリップ３０、撮影補助具（インジケータ）５０を備える（図１参照）。
【００２０】
撮影部１０の詳細について説明する。撮影部１０は、受光部１１、ケーブル１７を有する。
【００２１】
受光部１１は、Ｘ線受光部を内蔵する。受光部１１のＸ線受光部は、Ｘ線を可視光に変換するシンチレータ、該可視光を電荷に変換するＣＣＤなどのＸ線撮像素子を有する。Ｘ線撮像素子と直接接続される電気線がフレキシブル基板上に設けられている場合には、受光部１１の内部に、フレキシブル基板とケーブル１７とを接続するための基板を設けても良い。
【００２２】
また、受光部１１のＸ線撮像素子を駆動するための電気回路を、受光部１１の内部に設ける形態であってもよい。但し、Ｘ線撮像素子を駆動するための電気回路を構成する部材は、後述するグリップ３０や、さらに後段の画像処理装置などに配置される形態であってもよい。
【００２３】
ケーブル１７は、Ｘ線受光部への電力供給や信号送受信するための電気線であり、後述するグリップ３０と接続される。ケーブル１７は、受光部１１の背面からグリップ３０に延びる形態でも良いし、回転軸５３の内側を通り、外からは見えない形で、グリップ３０に延びる形態であってもよい。
【００２４】
また、Ｘ線受光部からの信号送受信を、ケーブル１７を介して行う形態に代えて、無線で行う形態であってもよい。この場合には、受光部１１の内部に、無線通信を行う装置や、かかる装置やＸ線撮像素子を駆動するバッテリーを内蔵する。
【００２５】
受光部１１は、Ｘ線受光部を内蔵する形態に代えて、Ｘ線フィルムを保持する形態であってもよい。この場合は、ケーブル１７は不要になる。
【００２６】
グリップ３０は、回転軸５３の軸受けとなる軸受け部３１を介して、回転軸５３を中心に回転可能な状態で、撮影補助具５０に取り付けられる。グリップ３０の内部には、Ｘ線撮像素子に電力を供給するバッテリーやＸ線撮像素子を制御する制御部やＸ線撮像素子で得られた画像信号に画像処理を施す画像処理装置を内蔵する形態であってもよいし、グリップ３０から、外部の画像処理装置（例えばパソコン）に、有線か無線で画像信号を伝達する形態であってもよい。
【００２７】
回転軸５３を中心としたグリップ３０の回転可能な状態を制御する第１ロック機構３３がグリップ３０（若しくは保定部５５）に設けられる。第１ロック機構３３によるロック状態が解除されると、グリップ３０は、回転軸５３を中心とした回転可能な状態にされる。第１ロック機構３３によりロック状態にされると、グリップ３０は、回転軸５３を中心とした回転不能な状態で保定部５５に固定される。第１ロック機構３３によるロック状態にされ、グリップ３０が保定部５５に固定されても、受光部１１の回転軸５３を中心とした回転動作は制限されない。
【００２８】
例えば、図２のように、側面から見て、受光部１１が保定部５５よりも上側に、グリップ３０が保定部５５よりも下側になるような位置関係で、グリップ３０が固定されると、上歯の近くに受光部１１を位置させやすいし、図３のように、受光部１１とグリップ３０が保定部５５よりも上側になるような位置関係でグリップ３０を固定させ、歯科用口腔内Ｘ線撮影装置１を上下逆にすると、下歯の近くに受光部１１を位置させやすい。
【００２９】
グリップ３０は、被験者が保持する形態であってもよいし、歯科医などの術者が把持する形態であってもよい。受光部１１などの保持は、グリップ３０を把持することにより行われるため、受光部１１などの保持のために、保定部５５を咬合する必要がなく、口を開けた状態を維持したまま、撮影が可能である。このため、被験者が咬合をうまく行えない場合でも、Ｘ線撮像素子等を口腔内に維持することが可能になる。また、グリップ３０の把持により、歯科用口腔内Ｘ線撮影装置１のグリップ３０以外の部材（受光部１１や受光部１１を保持する撮影補助具５０）が保持されるため、咬合により保持される形態に比べて、保定部５５等の重量が大きくなっても保持が容易に行えるメリットを有する。また、グリップ３０は受光部１１から離れているので、グリップ３０を把持する手にはＸ線装置７０からの放射線の影響を受けにくいメリットもある。
【００３０】
グリップ３０と保定部５５とのなす角（第２角度θ２）を変化させることにより、グリップ３０を保持する者（被験者や術者）にとって都合が良い位置関係（グリップ３０の保持位置）で、受光部１１を口腔内の適当な位置に挿入することが可能になる。
【００３１】
また、グリップ３０を移動させることにより、口腔内における回転軸５３の位置が変化し、これに伴って、受光部１１や保定部５５が口蓋など口腔内の部位と接触する位置が変化し、受光部１１のＸ線撮像素子の撮像面と保定部５５とのなす角（第１角度θ１）も変化する。第１角度θ１に関する情報は、後述するように口腔外に設けられた角度表示部５７に示される。
【００３２】
従って、グリップ３０を持った状態で、受光部１１のＸ線撮像素子の撮像面の法線の方向を自在に変化させることが可能になる。すなわち、使用者（術者若しくは被験者）がグリップ３０を把持することにより、第１角度θ１が調整可能な状態で、受光部１１が保持される。
【００３３】
保定部５５に対して、受光部１１やグリップ３０が回転可能な状態にされるが、その回転軸５３を共用することにより、回転運動に関する機構を簡素化することが可能になる。簡素化することにより、使い慣れていない被験者でも、壊さずに、簡単にグリップ３０を正しく保持することが可能になる。
【００３４】
また、グリップ３０は、保定部５５や受光部１１に比べて大きさの制限が緩く、内部にバッテリーなどの電気部品を内蔵させるスペースを確保しやすい。また、グリップ３０の内部に電気部品を出来るだけ集めることで、歯科用口腔内Ｘ線撮影装置１のグリップ３０以外の部材（受光部１１や撮影補助具５０）を軽くすることが可能になり、グリップ３０を把持した時に、安定した状態で、歯科用口腔内Ｘ線撮影装置１のグリップ３０以外の部材（受光部１１や撮影補助具５０）を保持することが可能になる。
【００３５】
本実施形態では、グリップ３０が多角柱形状を有する１つの棒状部材で構成される形態であるとして説明したが、２以上の棒状部材と、ボールジョイントなどのジョイント部材が当該２以上の棒状部材の間に設けられ、当該２以上の棒状部材のなす角度を変えてグリップ３０の形状を変化させる形態であってもよい。ただし、耐久性を含む構造簡素化の観点からは、かかるジョイント部材を設けずに一体の棒状部材で構成され、端部に設けられた軸受け部３１における回転軸５３を中心にした回転動作だけでグリップ３０と保定部５５との位置関係が決定する形態が望ましい。
【００３６】
次に、撮影補助具５０の詳細について説明する。撮影補助具５０は、回転軸５３、保定部（保定基板）５５、角度表示部５７、案内部５９を有する。
【００３７】
受光部１１は、回転軸５３上の接続部５３ａに取り付けられる。接続部５３ａは、Ｘ線源ＬＳを含むＸ線装置７０を使った撮影時に、保定部５５の口腔内に挿入される部分に設けられ、保定部５５とのなす角（第１角度θ１）が変更可能な状態で受光部１１を保持する。受光部１１は、ネジ止めなどで接続部５３ａに固定される形態でも良いし、受光部１１の一部を挟み込んで着脱可能な状態で接続部５３ａに取り付けられる形態であってもよいし、受光部１１と保定部５５が一体で形成される形態であってもよい。
【００３８】
接続部５３ａに受光部１１が取り付けられた状態で、撮影に必要な範囲内で、受光部１１が回転軸５３を中心に回転した時に、受光部１１や接続部５３ａが保定部５５と干渉しないように、これらの部材の寸法が決定される。
【００３９】
回転軸５３は、一方の端部に接続部５３ａを介して受光部１１が取り付けられ、他方の端部に角度表示部５７が取り付けられ、接続部５３ａに取り付けられた受光部１１の回転軸５３を中心とした回転運動は、回転軸５３を介して角度表示部５７に伝達され、角度表示部５７を回転させる。同様に、角度表示部５７の回転軸５３を中心とした回転運動は、回転軸５３を介して接続部５３ａに取り付けられた受光部１１に伝達され、受光部１１を回転させる。また、接続部５３ａに取り付けられた受光部１１の前面側が、保定部５５の上面に近づくような付勢力が与えられるように、回転軸５３等に、バネなどの付勢部材５３ｂが設けられる（図５参照）。
【００４０】
さらに、回転軸５３を中心とした受光部１１の回転可能な状態を制御する第２ロック機構３５を設ける形態であってもよい。第２ロック機構３５によりロック状態にされている時は、第１角度θ１は変化せず、グリップ３０等に設けられた操作ボタンの操作により、第２ロック機構３５によるロック状態が解除されると付勢力で受光部１１が回転する（図７参照）。グリップ３０と受光部１１とは回転軸５３を共用しているため、かかる第２ロック機構３５に連動する操作ボタンを含む構造をグリップ３０に設けることも可能である。第２ロック機構３５により、受光部１１と保定部５５の位置関係の調整を簡単に行える。
【００４１】
保定部５５は、上から見てＬ字形状を有する部材であり、保定部５５の一方の端部には回転軸５３を介して受光部１１が取り付けられ、他方の端部には案内部５９が取り付けられる。
【００４２】
角度表示部５７は、接続部５３ａが口腔内に挿入された時にも口腔外から見えるように、保定部５５の口腔内に挿入されない部分に取り付けられ、円柱形状を有しており、該円柱形状の天面（若しくは筒状部分（側面））には、接続部５３ａに取り付けられた受光部１１と保定部５５とのなす角（第１角度θ１、図２〜図４参照）に関連する情報として、複数の目印線を含む目盛りが付されている。
【００４３】
本実施形態では、回転軸５３を介して機械的に第１角度θ１に関する情報を角度表示部５７に伝達する形態を説明するが、受光部１１の近傍で第１角度θ１に関する情報を検知し、電気的に角度表示部５７に伝達して表示させる形態であってもよい。
【００４４】
角度表示部５７の目盛りと保定部５５との位置関係に基づいて、すなわち、基準位置（例えば、保定部５５の上面）と最も近い目印線に基づいて、口腔内に挿入されて見えない（接続部５３ａに取り付けられた）受光部１１と保定部５５とのなす角（第１角度θ１）に関する情報を読み取ることが可能になり、案内部５９の位置決め部５９ｃにおけるＸ線装置７０の位置合わせに使用される。
【００４５】
なお、リーマーを取り付けた状態では、撮影対象歯牙が保定部５５に接触することが出来ないため、撮影時に保定部５５における撮影対象歯牙の先端が近づく部位には、リーマーを避けるように、撮影時に撮影対象歯牙と対向する位置に切欠部（又は孔部）５５ａを設ける形態が望ましい。
【００４６】
Ｘ線装置７０を使った撮影時には、案内部５９が、接続部５３ａに取り付けられた受光部１１と対向するように保定部５５に取り付けられる。
【００４７】
案内部５９は、保定部接続部５９ａ、案内リング５９ｂ、位置決め部５９ｃを有する。案内部５９は、案内リング５９ｂが接続部５３ａに取り付けられた受光部１１と対向する位置になるように、保定部５５に取り付けられ、Ｘ線撮影におけるＸ線装置７０の照射口の位置決めに使用される。
【００４８】
保定部接続部５９ａは、Ｘ線装置７０を使った撮影時に保定部５５の口腔内に挿入されない部分の端部に取り付けられる部材である。
【００４９】
案内リング５９ｂは、接続部５３ａ側から見て縦長の略楕円形状（正立状態の上部が開口した略Ｕ字形状でも良い（図６参照））を有し、保定部接続部５９ａに取り付けられる。
【００５０】
案内リング５９ｂは、保定部５５の上方から見て、Ｘ線撮像素子の撮像面の中心を通り、撮像面に垂直な基準線ＬＰ上にあって、撮像面から第１距離（２００ｍｍ）だけ離れた位置にＸ線源ＬＳが配置されるように、Ｘ線源ＬＳを含むＸ線装置７０を位置決めするために使用される（図５参照）。
【００５１】
案内リング５９ｂの側部には、位置決め部５９ｃが設けられる。位置決め部５９ｃには、角度表示部５７の目盛りの目印線に対応する情報（複数の位置決め用目印）が記載される。対応関係にある角度表示部５７の目盛りの目印線と、位置決め部５９ｃの位置決め用目印とは同じ色（若しくは同じ記号や文字）で示されるのが望ましい。
【００５２】
角度表示部５７の目盛りにおける目印線のうち基準位置（例えば、保定部５５の上面）に最も近いものに対応する位置決め用目印に合わせて設置したＸ線源ＬＳから出射されるＸ線束の中心軸ＬＸが、保定部５５の側方から見て、受光部１１に内蔵されたＸ線撮像素子の撮像面を含む面と撮影対象歯牙の歯軸との二等分面に略垂直にすることが出来るように、複数の位置決め用目印が位置決め部５９ｃに設けられる（図４参照）。
【００５３】
すなわち、二以上の位置決め用目印のうち、第１角度θ１に関する情報に対応する位置決め用目印に合わせてＸ線装置７０を設置した場合に、Ｘ線源ＬＳから出射されるＸ線束の中心軸ＬＸが、保定部５５の測方から見て、受光部１１の撮像面を含む面と撮影対象歯牙の歯軸との二等分面に略垂直にすることが出来るように、二以上の位置決め用目印が位置決め部５９ｃに設けられる。
【００５４】
第１角度θ１が小さい場合、すなわちＸ線撮像素子の撮像面が、保定部５５の上面と平行に近い状態の場合には、保定部５５から離れた位置決め用目印に対応する角度表示部５７の目盛りの目印線が基準位置に近くなる。
【００５５】
第１角度θ１が大きい場合、すなわちＸ線撮像素子の撮像面が、保定部５５の上面と垂直に近い状態の場合には、保定部５５に近い位置決め用目印に対応する角度表示部５７の目盛りの目印線が基準位置に近くなる。
【００５６】
Ｘ線装置７０は、１つのＸ線光源ＬＳから照射口を介してＸ線を照射する装置であり、Ｘ線画像を得る場合に使用される。Ｘ線装置７０の照射口は、Ｘ線源ＬＳから出射されるＸ線束の中心軸ＬＸに垂直な面を有する。
【００５７】
Ｘ線装置７０の照射口が、案内リング５９ｂの所定の位置（基準位置に最も近い目盛りの目印線に対応した位置決め部５９ｃの位置決め用目印に合わせた位置）に設置された場合に、上方から見て、Ｘ線源ＬＳから出射されるＸ線束の中心軸ＬＸが、Ｘ線撮像素子の撮像面の中心を通るように、案内リング５９ｂは、側方から見て略円弧形状を有し、上方から見て略直線形状を有する（図５参照）。
【００５８】
このため、保定部５５の上方から見て、Ｘ線受光部の撮像面の中心を通り、撮像面に垂直な基準線ＬＰと、Ｘ線源ＬＳから出射されるＸ線束の中心軸ＬＸとが重なる位置関係で、Ｘ線装置７０の照射口は、案内リング５９ｂの近傍に配置されることになる。
【００５９】
なお、側方から見て中心軸ＬＸと平行な直線状の指標をＸ線装置７０の側部に設け、かかる指標と位置決め部５９ｃの位置決め用目印とが一致させるようにすると、位置合わせが容易に行える（図４参照）。
【００６０】
Ｘ線装置７０を使った撮影時は、受光部１１などの撮影部１０の一部や、接続部５３ａなどの撮影補助具５０の一部が、被験者の口腔内に挿入され、撮影対象歯牙の歯軸と保定部５５とが垂直になるような状態で、撮影補助具５０がグリップ３０によって保持される。このとき、角度表示部５７、案内部５９は、口腔外に位置する。但し、撮影対象歯牙の歯軸と保定部５５とのなす角度は垂直で無くても良い。
【００６１】
また、撮影時には、歯科用口腔内Ｘ線撮影装置１の被験者の口腔内に挿入される部分（保定部５５の一部、受光部１１、ケーブル１７の一部）に、防水カバーが覆われるのが望ましい。
【００６２】
次に、動作手順について説明する。保定部５５の一部や、受光部１１等が、防水カバーで覆われた状態で、歯科用口腔内Ｘ線撮影装置１の受光部１１を含む部分が、撮影対象歯牙を有する被験者の口腔内に挿入される。挿入前に、グリップ３０と保定部５５との位置関係（第２角度θ２）が、軸受け部３１に設けられた第１ロック機構３３によって、使用者の使いやすい状態で、グリップ３０を保定部５５に固定しておくのが望ましい。
【００６３】
被験者の口腔内の形状や、歯科用口腔内Ｘ線撮影装置１が挿入された位置などに基づいて、口腔内における受光部１１と保定部５５との位置関係が決定し、第１角度θ１が決定する。第２ロック機構３５が設けられている場合には、受光部１１と保定部５５を広げた状態（第１角度θ１が小さい状態）で固定したロック状態で歯科用口腔内Ｘ線撮影装置１の一部が口腔内に挿入され、その後に操作ボタンを操作してロック状態を解除し、口蓋などに受光部１１が接触した時に、口腔内における受光部１１と保定部５５との位置関係が決定する。
【００６４】
歯科用口腔内Ｘ線撮影装置１の使用者は、角度表示部５７の目盛りを見て、基準位置に最も近い目印線を確認し、位置決め部５９ｃにおける当該目印線に対応する位置決め用目印に指標を合わせるようにして、Ｘ線装置７０の照射口を設置する。その後、Ｘ線装置７０によるＸ線の照射、カルテ番号の入力、電源の立ち上げなど、所定の操作を行うことにより、撮像動作が行われる。
【００６５】
撮像動作においては、Ｘ線撮像素子は、シンチレータで変換された可視光を撮像する。撮像動作で得られた画像信号は、グリップ３０に内蔵された画像処理装置（若しくは、グリップ３０と有線または無線で接続された外部の画像処理装置）で、Ｘ線画像を得るための画像処理が施される。
【００６６】
また、基準位置（例えば、保定部５５の上面）に一番近い目印線に対応する位置決め部５９ｃの位置決め用目印に合わせて、Ｘ線装置７０の照射口を配置すれば、Ｘ線装置７０のＸ線源ＬＳから出射されるＸ線束の中心軸ＬＸが、側方から見て、受光部１１に内蔵されたＸ線受光部の撮像面を含む面と撮影対象歯牙の歯軸との二等分面に略垂直にすることが出来、二等分面撮影法により、実長に近い状態で撮影対象歯牙のＸ線画像を得ることが可能になる。
【００６７】
なお、本実施形態では、二等分面撮影法を考慮して、すなわち、Ｘ線束の中心軸ＬＸが、側方から見て、受光部１１に内蔵されたＸ線撮像素子の撮像面を含む面と撮影対象歯牙の歯軸との二等分面に略垂直になるように、案内リング５９ｂの側部の形状や、位置決め部５９ｃの位置決め用目印が決定される形態を説明したが、他の撮影法を考慮してこれらを決定する形態であってもよい。
【００６８】
例えば、Ｘ線束の中心軸ＬＸが、側方から見て、受光部１１に内蔵されたＸ線撮像素子の撮像面を含む面に略垂直になるように、案内リング５９ｂの側部の形状や、位置決め部５９ｃの位置決め用目印が決定される形態であってもよい。
【符号の説明】
【００６９】
１  歯科用口腔内Ｘ線撮影装置
１０  撮影部
１１  受光部
１７  ケーブル
３０  グリップ
３１  軸受け部
３３  第１ロック機構
３５  第２ロック機構
５０  撮影補助具
５３  回転軸
５３ａ  接続部
５３ｂ  付勢部材
５５  保定部
５７  角度表示部
５９  案内部
５９ａ  保定部接続部
５９ｂ  案内リング
５９ｃ  位置決め部
７０  Ｘ線装置
ＬＸ  中心軸
ＬＰ  上方から見て、Ｘ線受光部の撮像面の中心を通り、撮像面に垂直な線
ＬＳ  Ｘ線源
【図１】
0005896837.tif 000002
【図２】
0005896837.tif 000003
【図３】
0005896837.tif 000004
【図４】
0005896837.tif 000005
【図５】
0005896837.tif 000006
【図６】
0005896837.tif 000007
【図７】
0005896837.tif 000008